(57)【要約】【課題】  使用後の容積を容易に減らすことができ、また、透析用剤の溶解性を向上させることができる透析用剤収納容器を提供する。【解決手段】  袋体２と、該袋体２の開口部４に突出した状態で接合され、袋体２内へ溶媒を供給する溶媒供給管１３を挿入可能なスパウト３とを備えた透析用剤収納容器１であって、スパウト３は、内側に袋体２内と連通する略菱形の連通口５を開口した筒状体であり、対向する両側端に尖端部７を、袋体２の開口部４と接合する接合部８から突出端部に亘って形成し、突出端部の周縁にフランジ部１０を外方へ向けて延設し、連通口５内に溶媒供給管１３を、該溶媒供給管１３がスパウト３の内側に内接あるいは近接する状態で挿入すると、連通口５が溶媒供給管１３の内側の供給流路１４と、溶媒供給管１３の外側の排出流路１５とに区画され、排出流路１５の断面積が供給流路１４の断面積よりも広く設定されるように構成された。【選択図】  図１
2006158415.tif 000002
【特許請求の範囲】
【請求項１】
可撓性シート材からなる袋体と、該袋体の開口部に突出した状態で接合され、袋体内へ溶媒を供給する溶媒供給管を挿入可能なスパウトとを備え、袋体の内部に透析用剤を収納し、該透析用剤を溶媒により溶解して透析液を調製可能な透析用剤収納容器であって、
前記スパウトは、内側に袋体内と連通する略菱形の連通口を開口した筒状体であり、対向する両側端に尖端部を、袋体の開口部と接合する接合部から突出端部に亘って形成し、突出端部の周縁にフランジ部を外方へ向けて延設してなり、
前記連通口内に溶媒供給管を、該溶媒供給管がスパウトの内側に内接あるいは近接する状態で挿入すると、連通口が溶媒供給管の内側の供給流路と、溶媒供給管の外側の排出流路とに区画され、排出流路の断面積が供給流路の断面積よりも広く設定されるように構成されたことを特徴とする透析用剤収納容器。
【請求項２】
前記スパウトは、フランジ部のうち尖端部間に位置する膨出部分に切欠部を形成したことを特徴とする請求項１に記載の透析用剤収納容器。
【請求項３】
前記袋体は、その縁部のうちスパウトの接合部の周辺に位置する部分に切込み部を形成したことを特徴とする請求項１または請求項２に記載の透析用剤収納容器。
【発明の詳細な説明】
【技術分野】
【０００１】
本発明は、人工透析に用いる透析液の調製に使用される固体透析用剤などの透析用剤を収納する容器に関する。
【背景技術】
【０００２】
透析用剤には、液体型と固体型の２種類の型がある。液体型の透析用剤は、その大部分が水で占められており、重量と容量が大きくなるため、透析医療従事者への運搬作業の負荷が大きく、保管スペースも大きくなってしまう。そのため、近年、透析液を使用する際に、自動溶解装置に投入して、水に溶解させて透析液を調製する固体型の透析用剤（以下、固体透析用剤という）が急速に普及している。この固体透析用剤を収納する容器は、現在、袋式とボトル式がある。
【特許文献１】特開２００１−３４０４４７号公報
【発明の開示】
【発明が解決しようとする課題】
【０００３】
袋式透析用剤収納容器は、点滴用液の容器と同様に、可撓性を有するシート材で袋体に構成されているので、使用後の嵩高を減少させることができる利点がある。しかし、透析医療従事者が一袋ずつ手作業で開封し、自動溶解装置に投入して、透析液の調製をしているので、人為ミスによる数量違いの危険性があり、自動溶解装置投入時の浮遊塵、袋に付着したゴミ、人間の毛髪等の異物混入の危険性も高いという問題がある。
そして、袋式透析用剤収納容器を自動溶解装置にセットしようとした場合、袋体の形状が不安定なために、カッターで開封する際やノズルを挿入する際に、袋体が潰れてしまう。また、ノズルを挿入できたとしても、ノズルと袋体との接合部の密閉状態を維持することができないので、ノズルから袋体内に水を供給して固体透析用剤を溶解した場合に溶解液が漏れて、透析液を調製することが困難になってしまう。
【０００４】
一方、ボトル式透析用剤収納容器は、自動溶解装置にセットすれば、全自動で透析液の調製が可能となり、数量違いや異物混入の危険性は袋式に比べて低い。しかし、ボトルは、袋式に比べて剛性の高い材料で構成されているので、使用後空になっても、つぶして容量を小さくし難く、ゴミとして処分する際に嵩張るという問題がある。
また、ボトル式透析用剤収納容器は、開口部が１カ所で循環液の入口と出口を兼ねている構成が一般的である。この構成では、自動溶解装置で固体透析用剤を溶解するのに十分な水流を与えることができないため、溶け残りが発生しやすく、透析液の調製が安定し難いという問題がある。
【０００５】
本発明は上記した事情に鑑みなされたもので、その目的は、使用後の容積を容易に減らすことができ、また、透析用剤の溶解性を向上させることができる透析用剤収納容器を提供しようとするものである。
【課題を解決するための手段】
【０００６】
本発明は、上記目的を達成するために提案されたものであり、請求項１に記載のものは、可撓性シート材からなる袋体と、該袋体の開口部に突出した状態で接合され、袋体内へ溶媒を供給する溶媒供給管を挿入可能なスパウトとを備え、袋体の内部に透析用剤を収納し、該透析用剤を溶媒により溶解して透析液を調製可能な透析用剤収納容器であって、
前記スパウトは、内側に袋体内と連通する略菱形の連通口を開口した筒状体であり、対向する両側端に尖端部を、袋体の開口部と接合する接合部から突出端部に亘って形成し、突出端部の周縁にフランジ部を外方へ向けて延設してなり、
前記連通口内に溶媒供給管を、該溶媒供給管がスパウトの内側に内接あるいは近接する状態で挿入すると、連通口が溶媒供給管の内側の供給流路と、溶媒供給管の外側の排出流路とに区画され、排出流路の断面積が供給流路の断面積よりも広く設定されるように構成されたことを特徴とする透析用剤収納容器である。
【０００７】
請求項２に記載のものは、前記スパウトは、フランジ部のうち尖端部間に位置する膨出部分に切欠部を形成したことを特徴とする請求項１に記載の透析用剤収納容器である。
【０００８】
請求項３に記載のものは、前記袋体は、その縁部のうちスパウトの接合部の周辺に位置する部分に切込み部を形成したことを特徴とする請求項１または請求項２に記載の透析用剤収納容器である。
【発明の効果】
【０００９】
本発明によれば、以下のような優れた効果を奏する。
請求項１に記載の発明によれば、可撓性シート材からなる袋体と、該袋体の開口部に突出した状態で接合され、袋体内へ溶媒を供給する溶媒供給管を挿入可能なスパウトとを備え、袋体の内部に透析用剤を収納し、該透析用剤を溶媒により溶解して透析液を調製可能な透析用剤収納容器であって、スパウトは、内側に袋体内と連通する略菱形の連通口を開口した筒状体であり、対向する両側端に尖端部を、袋体の開口部と接合する接合部から突出端部に亘って形成し、突出端部の周縁にフランジ部を外方へ向けて延設したので、スパウトを自動溶解装置へ接続することで透析液を調製する準備を行うことができる。したがって、袋体を開封して薬剤を自動溶解装置に投入する手作業が無くなり、透析液の調製を容易に行うことができる。このことから、透析医療従事者の作業負担を軽減でき、数量違いや異物混入の危険性を低減することができる。また、使用後の廃棄の際には、特殊な装置を使用することなく袋体を容易に押し潰して容積の削減ができる。
さらに、連通口内に溶媒供給管を、該溶媒供給管がスパウトの内側に内接あるいは近接する状態で挿入すると、連通口が溶媒供給管の内側の供給流路と、溶媒供給管の外側の排出流路とに区画され、排出流路の断面積が供給流路の断面積よりも広く設定されるように構成されたので、袋体内で調整した透析液や透析用剤を透析用剤収納容器からスムーズに排出することができる。また、溶媒供給管から袋体内へ供給された溶媒を袋体内で淀ませ難い。したがって、透析用剤の溶解効率の向上を図ることができる。
【００１０】
請求項２に記載の発明によれば、スパウトは、フランジ部のうち尖端部間に位置する膨出部分に切欠部を形成したので、使用後の廃棄の際にスパウトを押し潰し易い。したがって、廃棄物の容積を一層削減することができる。
【００１１】
請求項３に記載の発明によれば、袋体は、その縁部のうちスパウトの接合部の周辺に位置する部分に切込み部を形成したので、使用後の廃棄の際にスパウトを袋体から容易に切り離すことができ、廃棄物の更なる減容化を図ることができる。また、材質の異なる袋体とスパウトとを容易に分別することができる。
【発明を実施するための最良の形態】
【００１２】
以下、本発明を実施するための最良形態を図面に基づいて説明する。図１（ａ）は、本発明に係る透析用剤収納容器を自動溶解装置へ接続した状態の正面図であり、接続部分を断面で示している。また、図１（ｂ）は、透析用剤収納容器の平面図、（ｃ）はスパウトの斜視図である。
【００１３】
透析用剤収納容器１は、固体の透析用剤を収納する袋体２と、この袋体２の上部に接合されたスパウト（口部）３とから構成されている。なお、本実施形態において、透析用剤収納容器１は、左右対称の形状で構成されている。
【００１４】
袋体２は、例えばポリエチレンフィルムなど可撓性のある合成樹脂シート材（フィルム）で構成されており、重ねたフィルム材の左右側縁同士および下側縁同士を溶着（あるいは融着）し、また、上側縁同士については、左右両側の部分を溶着（あるいは融着）し、中間部分には開口部（非溶着部）４を形成している。
【００１５】
スパウト３は、内側に袋体２内と連通する略菱形の連通口５を開口した筒状体であり、プラスチックや金属など剛性を有する素材により成形され、袋体２の開口部４に上方へ突出した状態で接合されている。このスパウト３は、対向する左右両側端に尖端部７を、袋体２の開口部４と接合する接合部８（図中下部）から突出端部（図中上端部）に亘って形成し、両尖端部７の間には膨出部９を前後方向（袋体２の表裏方向）へ膨出させた状態で形成して、上から見て舟形となるように構成され、袋体２を構成するシート材の重合部分とスパウト３の接合部８との間に隙間が形成されることなく、袋体２とスパウト３とが密着できるように構成されている。また、突出端部の周縁（具体的には、全周縁）にフランジ部１０を外方へ向けて延設している。このフランジ部１０は、透析用剤収納容器１を自動溶解装置の接続部１１へ接続するための係止部分として機能する。このようなスパウト３を袋体２の開口部４に接合する際には、スパウト３の下縁部と袋体２内の上側内縁部とが略同じ高さになるように位置を合わせ（図１（ａ）参照）、この状態で袋体２のシール部分（開口部４の内側）を接合部８の側面に液密状にヒートシール接合する。
【００１６】
そして、スパウト３の連通口５は、袋体２を構成するシート材の延在方向（図中左右方向）に沿って横長な略菱形であって、自動溶解装置の接続部１１から延設された円筒状の溶媒供給管１３を挿入可能な大きさで開口されている。そして、スパウト３を接続部１１に接続し、連通口５内に溶媒供給管１３を、該溶媒供給管１３がスパウト３の内側に内接あるいは近接する状態で挿入すると、連通口５は、溶媒供給管１３の内側の供給流路１４と、溶媒供給管１３の外側の排出流路１５（具体的には、調整された透析液を袋体２外へ排出するための流路）とに区画され、排出流路１５の断面積が供給流路１４の断面積よりも広く設定されるように構成される。このとき、供給流路１４は、連通口５の略中央部分に区画形成され、排出流路１５は、連通口５のうち主に供給流路１４の左右両側に略三角形状の流路断面を有する状態で区画形成される。
なお、自動溶解装置の接続部１１は、スパウト３を接続すると排出流路１５に連通する透析液流路１６を備え、該透析液流路１６を介して自動溶解装置の本体部（図示せず）へ透析液を送り込むことができるように構成されている。
【００１７】
また、透析用剤は、ブドウ糖、塩化ナトリウム、塩化マグネシウム、炭酸水素ナトリウムなどの薬剤を粉末状あるいは顆粒状にしたものであり、透析用剤収納容器１の袋体２の内部に所定量が収納される。透析用剤を透析用剤収納容器１の袋体２内に収納するには、袋体２に接合されたスパウト３の連通口５から投入し、フランジ部１０の表面に封止用シール材（図示せず）を貼付するなどして封止する。したがって、この透析用剤収納容器１内に透析用剤を収納して封止すると、内部の透析用剤が変質することもないので保管や搬送が容易である。
【００１８】
次に、人工透析を行う病院で透析用剤収納容器１を使用する場合等の操作について説明する。
まず、スパウト３のフランジ部１０の封止用シール材を剥がす等して連通口５を開き、この状態でスパウト３を接続部１１に接続して透析用剤収納容器１を自動溶解装置にセットする。すると、溶媒供給管１３がスパウト３に挿入され、連通口５内に供給流路１４と排出流路１５とが区画形成される。なお、フランジ部１０と接続部１１との間には、パッキン等のシール部材１７を介在させて、調整した透析液がリークしないように構成することが望ましい。また、溶媒供給管１３の先端部に尖鋭部（図示せず）を備え、透析用剤収納容器１を自動溶解装置にセットする際にスパウト３の封止用シール材を剥がさずに、尖鋭部で封止用シール材を破壊し、連通口５の排出流路１５と接続部１１の透析液流路１６とを連通させるようにしてもよい。このとき、封止用シール材を、排出流路１５と透析液流路１６との間を塞がずに、十分に透析液が流れる程度に破き、また、破かれた封止用シール材が脱落して袋体２内に入ることがないようにすることが好適である。
このようにスパウト３を自動溶解装置へ接続することで、透析液を調製する準備を簡単に行うことができる。したがって、袋体２を開封して薬剤を自動溶解装置に投入する手作業が無くなり、透析液の調製を容易に行うことができる。このことから、透析医療従事者の作業負担を軽減でき、数量違いや異物混入の危険性を低減することができる。
【００１９】
そして、自動溶解装置を作動して溶媒（水）を溶媒供給管１３（すなわち供給流路１４）から袋体２内へ供給すると、この溶媒は、溶媒供給管１３の先端から勢いよく流下する。したがって、袋体２の中央部分（溶媒供給管１３の下方に位置する部分）では、スパウト３から袋体２内の底部へ向けて下向きの流れが発生し、袋体２内の左右両側部分では、袋体２内の底部からスパウト３の排出流路１５へ向けて上向きの流れが発生する。このことから、袋体２内には、溶媒の循環流が形成され、この溶媒の循環流により袋体２内の透析用剤を溶解して透析液を調製することができる。透析用剤を溶かした溶解液は、排出流路１５から接続部１１の透析液流路１６を通って自動溶解装置内に透析液として供給される。ここで、排出流路１５の断面積が供給流路１４の断面積よりも広く設定されているので、排出流路１５側、すなわち袋体２から自動溶解装置へ向かう流路の流路抵抗が大きくなることを抑えることができる。したがって、袋体２内の透析用剤や、透析用剤を溶かした溶解液を透析用剤収納容器１から自動溶解装置へスムーズに排出することができる。また、溶媒供給管１３から袋体２内へ供給された溶媒を袋体２内で淀ませ難い。このことから、透析用剤の溶解効率、すなわち透析液の調整効率の向上を図ることができる。
【００２０】
このような溶媒の供給操作を継続すると、袋体２内の透析用剤が順次溶けて溶解液となって自動溶解装置に供給され、袋体２内の透析用剤の量が次第に減少する。そして、透析用剤の溶解が終了間近になったならば、透析用剤収納容器１と接続部１１とを接続した状態で逆さに反転させる。
【００２１】
このようにして、袋体２内の全ての透析用剤が溶け出たならば、水の供給を停止し、逆さになった袋体２内の残液を接続部１１内の透析液流路１６へ流下させて回収し、空になった透析用剤収納容器１を取り外して、回収箱など所定の廃棄場所に廃棄する。この廃棄の際に、袋体２は可撓性を有するので、容易に押し潰して容器全体の容積を大幅に減少させることができる。したがって、特殊な装置を使用することなく袋体２を容易に押し潰して容積の削減（減容）を実現することができて、廃棄の際に嵩張ることがない。
【００２２】
なお、スパウト３は、図２に示すように、フランジ部１０のうち尖端部７間に位置する前後の膨出部分にＶ字状の切欠部２０を、先端部がスパウト３の表面に達する程度の大きさで形成してもよい。このようにすれば、使用後の廃棄の際にスパウト３を平らに押し潰し易い。したがって、廃棄物の容積を一層削減ことができる。
【００２３】
また、袋体２は、図３に示すように、その縁部のうちスパウト３の接合部８の周辺に位置する部分に切込み部２１を形成してもよい。このようにすれば、使用後の廃棄の際にスパウト３を袋体２から容易に切り離すことができ、廃棄物の更なる減容化を図ることができる。また、材質の異なる袋体２とスパウト３とを容易に分別することができる。
なお、図３に示す実施形態では、袋体２のうち開口部４（スパウト３を接合する部分）の周辺部分を一段上方（スパウト３の突出端の方向）へ突出させて立ち上がり部２２を形成し、この立ち上がり部２２の縁部に切込み部２１を形成して、スパウト３と共に切り離される袋体２の一部の幅が袋体２の幅よりも狭くなるように構成されているが、図１に示す袋体２の左右両側縁に切込み部２１を形成してもよい。あるいは、袋体２の上縁のうちスパウト３の両側方に切込み部２１を形成してもよい。
【００２４】
また、袋体２を構成する可撓性シート材は、前記したポリエチレンフィルムに限定されるものではなく、他の樹脂シートでも良いし、シリカ（二酸化珪素）を蒸着した複合材でもよい。また、この袋体２内に収納する透析用剤は前記に限らず、ゲル状のタイプ、液体タイプなどでもよく、適宜選択することができる。
【図面の簡単な説明】
【００２５】
【図１】（ａ）は透析用剤収納容器を自動溶解装置へ接続した状態の正面図、（ｂ）は透析用剤収納容器の平面図、（ｃ）はスパウトの斜視図である。
【図２】フランジ部に切欠部を形成したスパウトの平面図である。
【図３】袋体に切込み部を形成した透析用剤収納容器の正面図である。
【符号の説明】
【００２６】
１  透析用剤収納容器
２  袋体
３  スパウト
４  開口部
５  連通口
７  尖端部
８  接合部
９  膨出部
１０  フランジ部
１１  自動溶解装置の接続部
１３  溶媒供給管
１４  供給流路
１５  排出流路
１６  透析液流路
１７  シール部材
２０  切欠部
２１  切込み部
２２  立ち上がり部
【図１】
2006158415.tif 000003
【図２】
2006158415.tif 000004
【図３】
2006158415.tif 000005